(57)【要約】【課題】汎用型マイクロメモリカードを提供する。【解決手段】主に共用伝送インターフェース８１を具え、該共用伝送インターフェースは８１ＵＳＢ規格を制定の基礎とし、ＵＳＢインターフェース端子を設置し、また、データ伝送端子を配置し、ＵＳＢインターフェース端子のＤ＋とＤ−端子を通して、伝送システムエンドの初期化信号に対して、マイクロメモリカード８が挿入されたシステムインターフェースの種類をディテクトし、対応する操作モードに切替え、こうして、異なる規格のメモリカードシステムインターフェースは該共用伝送インターフェースと該マイクロメモリカード８を通して信号伝送を行うことができる。【選択図】図８
2004288141.tif 000002
【特許請求の範囲】
【請求項１】
主に共用伝送インターフェースを具え、該共用伝送インターフェースはＵＳＢ規格を制定の基礎とし、複数のＵＳＢインターフェース端子を設置する他、少なくとも一個のデータ伝送端子を設置し、これにより異なる規格のメモリカードシステムインターフェースは該共用伝送インターフェースを通してマイクロメモリカードと信号の伝送を行うことを特徴とする汎用型マイクロメモリカード。
【請求項２】
前記メモリカードシステムインターフェースは、ＵＳＢ、及び／又はＳＤ、及び／又はＭＳシステム、及び／又はその他の異なる規格のメモリカードシステムインターフェースを含むことを特徴とする請求項１記載の汎用型マイクロメモリカード。
【請求項３】
前記ＵＳＢインターフェース端子は、電源用端子とデータ伝送端子とを含むことを特徴とする請求項１記載の汎用型マイクロメモリカード。
【請求項４】
前記データ伝送端子は、メモリカードシステムインターフェースの異なる伝送プロトコルに基づき、対応する属性の信号を伝送することを特徴とする請求項３記載の汎用型マイクロメモリカード。
【請求項５】
主に共用伝送インターフェースを具え、該共用伝送インターフェースの一端はマイクロメモリカードの内部回路に電気的に接続し、反対端は予め規格が設定された転換インターフェースに結合し、これにより該マイクロメモリカードは任意の規格のメモリカードシステムインターフェースに汎用され、かつ該共用伝送インターフェースのインターフェース規格はＵＳＢ規格を制定の基礎とし、複数のＵＳＢインターフェース端子を設置する他、少なくとも一個のデータ伝送端子を配置することを特徴とする汎用型マイクロメモリカード。
【請求項６】
前記ＵＳＢインターフェース端子は、電源用端子とデータ伝送端子を含むことを特徴とする請求項５記載の汎用型マイクロメモリカード。
【請求項７】
前記データ伝送端子は、メモリカードシステムインターフェースの異なる伝送プロトコルに応じて対応する属性の信号を伝送することを特徴とする請求項６記載の汎用型マイクロメモリカード。
【請求項８】
前記メモリカードシステムインターフェースは、ＵＳＢ、及び／又はＳＤ、及び／又はＭＳシステム、及び／又はその他の異なる規格のメモリカードシステムインターフェースを含むことを特徴とする請求項５記載の汎用型マイクロメモリカード。
【請求項９】
主に内部に繰返し書込み可能なメモリを配置し、共用伝送インターフェース、インターフェースディテクト／切替回路、マイクロコントローラを含み、
該共用伝送インターフェースは、ＵＳＢ規格を制定の基礎とし、複数のＵＳＢインターフェース端子を設置し、また別に少なくとも一個のデータ伝送端子を配置し、ＵＳＢインターフェースのＤ＋とＤ−インターフェース端子を利用し、メモリカードシステムインターフェースが伝送する複数の初期化信号を伝送し、
該インターフェースディテクト／切替回路は、ディテクト回路、切替回路により構成し、該共用伝送インターフェースと電気的に接続し、
該ディテクト回路は、初期化信号の自動ディテクトに用いる電位変化で、これにより該マイクロメモリカードが保存するメモリカードシステムインターフェースの種類を判断し、該切替回路は、ディテクトの結果に応じて、信号の伝送ルートを切替え、
該マイクロコントローラは、該インターフェースディテクト／切替回路のディテクト結果に応じて、メモリカードシステムインターフェースをサポートする相対する操作モードに切替え、該操作モードに基づき、異なる伝送ルートが伝送して来る信号を処理することを特徴とする汎用型マイクロメモリカード。
【請求項１０】
前記マイクロメモリカードは、コントロール信号バス、データバスを配置し、前記インターフェースディテクト／切替回路との接続に用い、異なる属性の信号をそれぞれ伝送する伝送ルートとすることを特徴とする請求項９記載の汎用型マイクロメモリカード。
【請求項１１】
前記マイクロメモリカードは、電源転換／保護回路を含み、ＵＳＢインターフェースに接続する電源用端子に接続し、異なるメモリカードのシステムインターフェースが伝送する電源を該マイクロメモリカード内部回路に適用する電源電圧に転換することを特徴とする請求項９記載の汎用型マイクロメモリカード。
【請求項１２】
前記メモリカードシステムインターフェースは、ＵＳＢ、及び／又はＳＤ、及び／又はＭＳシステム、及び／又はその他の異なる規格のメモリカードシステムインターフェースを含むことを特徴とする請求項９記載の汎用型マイクロメモリカード。
【請求項１３】
主に内部に繰返し書込み可能なメモリを配置し、共用伝送インターフェース、インターフェースディテクト／切替回路、マイクロコントローラを含み、
該共用伝送インターフェースは、ＵＳＢ規格を制定の基礎とし、複数のＵＳＢインターフェース端子を設置し、また別に少なくとも一個のデータ伝送端子を配置し、ＵＳＢインターフェースのＤ＋とＤ−インターフェース端子を利用し、メモリカードシステムインターフェースが伝送する複数の初期化信号を伝送し、
該インターフェースディテクト／切替回路は、ディテクト回路、切替回路により構成し、該共用伝送インターフェースと電気的に接続し、
該ディテクト回路は、初期化信号が入力されたか否かのディテクトに用い、
該切替回路は信号の伝送ルート切替えに用い、
該マイクロコントローラは、該インターフェースディテクト／切替回路に接続し、該初期化信号の電位変化を受信し判別し、該メモリカードが保存するメモリカードシステムインターフェースの種類を判別し、メモリカードシステムインターフェースをサポートする相対する操作モードに切替え、該操作モードに基づき、異なる伝送ルートが伝送して来る信号を処理することを特徴とする汎用型マイクロメモリカード。
【請求項１４】
前記マイクロメモリカードは、コントロール信号バス、データバスを配置し、前記インターフェースディテクト／切替回路との接続に用い、異なる属性の信号をそれぞれ伝送する伝送ルートとすることを特徴とする請求項１３記載の汎用型マイクロメモリカード。
【請求項１５】
前記マイクロメモリカードは、電源転換／保護回路を含み、ＵＳＢインターフェースに接続する電源用端子に接続し、異なるメモリカードのシステムインターフェースが伝送する電源を該マイクロメモリカード内部回路に適用する電源電圧に転換することを特徴とする請求項１３記載の汎用型マイクロメモリカード。
【請求項１６】
前記メモリカードシステムインターフェースは、ＵＳＢ、及び／又はＳＤ、及び／又はＭＳシステム、及び／又はその他の異なる規格のメモリカードシステムインターフェースを含むことを特徴とする請求項１３記載の汎用型マイクロメモリカード。
【発明の詳細な説明】
【０００１】
【発明の属する技術分野】
本発明は一種の汎用型マイクロメモリカードに関する。特に一種の繰返し書込み可能で、異なる規格のメモリカードシステムインターフェースに応用可能な汎用型マイクロメモリカードに係る。
【０００２】
【従来の技術】
小型マイクロメモリカードは今後の発展が期待されるため、各メーカーは競って自社規格の浸透に力を入れている。即ち、自社のメモリカード規格をメモリカード規格の主流にしようとする動きである。しかしこのため、現在市販されているメモリカードは大きさが様々で相互に互換性がないばかりでなく、インターフェース、指示システム、データ伝送プロトコル、コントロールモード等すべてにおいて異なり、カード規格、インターフェース共に統一不能の現象を招いている。これでは消費者の不利益になるばかりでなく、ＩＴ家電、デジタルデバイス、ＰＣ周辺装置等のメーカーにとって、開発時の困難となっている。
上記問題を解決するため、多種のメモリカードをサポート可能なアダプタが開発された。該アダプタは各種メモリカードの規格、サイズ、回路を単一の書込み読み出しスロットに統合し、単一の伝送インターフェースによりＵＳＢ、ＩＥＥＥ１３９４、ＰＣＭＣＩＡ、ＣＦインターフェースとＰＣのシステムエンドを接続し、データの伝送を行うものである。
しかし、該装置はストレージ機能を具えずデータ伝送の用途にのみ用いられ、しかも、デジカメ、ＰＤＡ、ＩＡ等の装置に直接利用することはできない。
もし、既存のメモリカードのインターフェース規格、伝送プロトコル、回路等の機能を統合したメモリカードがあれば、高価なアダプタを通さずに、ＰＣシステムエンド及び各装置と接続、応用することができる。即ち、各種メモリカードの規格の差異により生じる不便を解消可能である。さらに、ＰＣとの接続に高価なアダプタを使用しなければならなかった消費者にとって朗報となる。
【０００３】
【発明が解決しようとする課題】
上記公知構造の欠点を解決するため、本発明は汎用型マイクロメモリカードの提供を課題とする。
該汎用型マイクロメモリカードは、それ自体が制定するシステムインターフェースにおいて使用可能である他、ＳＤカード、ＭＳカード等の既存のメモリカードシステムのインターフェースをサポート可能である。
さらにそれは、現在では標準配備となっているＵＳＢインターフェースをサポート可能である。
【０００４】
【課題を解決するための手段】
上記課題を解決するため、本発明は下記の汎用型マイクロメモリカードを提供する。
それは主に共用伝送インターフェースを具える。
該共用伝送インターフェースはＵＳＢ規格を制定の基礎とし、ＵＳＢインターフェース端子を設置する。また、データ伝送端子を配置し、ＵＳＢインターフェース端子のＤ＋とＤ−端子を通して、伝送システムエンドの初期化信号に対して、該マイクロメモリカードが挿入されたシステムインターフェースの種類をディテクトし、対応する操作モードに切替える。こうして、異なる規格のメモリカードシステムインターフェースは該共用伝送インターフェースと該マイクロメモリカードを通して信号伝送を行うことができる。
本発明の汎用型マイクロメモリカードは以下の特徴を有する。
１．主に共用伝送インターフェースを具え、該共用伝送インターフェースはＵＳＢ規格を制定の基礎とし、複数のＵＳＢインターフェース端子を設置する他、少なくとも一個のデータ伝送端子を設置し、これにより異なる規格のメモリカードシステムインターフェースは該共用伝送インターフェースを通してマイクロメモリカードと信号の伝送を行うことを特徴とする。
２．前記１において、前記メモリカードシステムインターフェースは、ＵＳＢ、及び／又はＳＤ、及び／又はＭＳシステム、及び／又はその他の異なる規格のメモリカードシステムインターフェースを含むことを特徴とする。
３．前記１において、前記ＵＳＢインターフェース端子は、電源用端子とデータ伝送端子とを含むことを特徴とする。
４．前記３において、前記データ伝送端子は、メモリカードシステムインターフェースの異なる伝送プロトコルに基づき、対応する属性の信号を伝送することを特徴とする。
５．主に共用伝送インターフェースを具え、該共用伝送インターフェースの一端はマイクロメモリカードの内部回路に電気的に接続し、反対端は予め規格が設定された転換インターフェースに結合し、これにより該マイクロメモリカードは任意の規格のメモリカードシステムインターフェースに汎用され、かつ該共用伝送インターフェースのインターフェース規格はＵＳＢ規格を制定の基礎とし、複数のＵＳＢインターフェース端子を設置する他、少なくとも一個のデータ伝送端子を配置することを特徴とする。
６．前記５において、前記ＵＳＢインターフェース端子は、電源用端子とデータ伝送端子を含むことを特徴とする。
７．前記６において、前記データ伝送端子は、メモリカードシステムインターフェースの異なる伝送プロトコルに応じて対応する属性の信号を伝送することを特徴とする。
８．前記５において、前記メモリカードシステムインターフェースは、ＵＳＢ、及び／又はＳＤ、及び／又はＭＳシステム、及び／又はその他の異なる規格のメモリカードシステムインターフェースを含むことを特徴とする。
９．主に内部に繰返し書込み可能なメモリを配置し、共用伝送インターフェース、インターフェースディテクト／切替回路、マイクロコントローラを含み、
該共用伝送インターフェースは、ＵＳＢ規格を制定の基礎とし、複数のＵＳＢインターフェース端子を設置し、また別に少なくとも一個のデータ伝送端子を配置し、ＵＳＢインターフェースのＤ＋とＤ−インターフェース端子を利用し、メモリカードシステムインターフェースが伝送する複数の初期化信号を伝送し、
該インターフェースディテクト／切替回路は、ディテクト回路、切替回路により構成し、該共用伝送インターフェースと電気的に接続し、
該ディテクト回路は、初期化信号の自動ディテクトに用いる電位変化で、これにより該マイクロメモリカードが保存するメモリカードシステムインターフェースの種類を判断し、該切替回路は、ディテクトの結果に応じて、信号の伝送ルートを切替え、
該マイクロコントローラは、該インターフェースディテクト／切替回路のディテクト結果に応じて、メモリカードシステムインターフェースをサポートする相対する操作モードに切替え、該操作モードに基づき、異なる伝送ルートが伝送して来る信号を処理することを特徴とする。
１０．前記９において、前記マイクロメモリカードは、コントロール信号バス、データバスを配置し、前記インターフェースディテクト／切替回路との接続に用い、異なる属性の信号をそれぞれ伝送する伝送ルートとすることを特徴とする。
１１．前記９において、前記マイクロメモリカードは、電源転換／保護回路を含み、ＵＳＢインターフェースに接続する電源用端子に接続し、異なるメモリカードのシステムインターフェースが伝送する電源を該マイクロメモリカード内部回路に適用する電源電圧に転換することを特徴とする。
１２．前記９において、前記メモリカードシステムインターフェースは、ＵＳＢ、及び／又はＳＤ、及び／又はＭＳシステム、及び／又はその他の異なる規格のメモリカードシステムインターフェースを含むことを特徴とする。
１３．主に内部に繰返し書込み可能なメモリを配置し、共用伝送インターフェース、インターフェースディテクト／切替回路、マイクロコントローラを含み、
該共用伝送インターフェースは、ＵＳＢ規格を制定の基礎とし、複数のＵＳＢインターフェース端子を設置し、また別に少なくとも一個のデータ伝送端子を配置し、ＵＳＢインターフェースのＤ＋とＤ−インターフェース端子を利用し、メモリカードシステムインターフェースが伝送する複数の初期化信号を伝送し、
該インターフェースディテクト／切替回路は、ディテクト回路、切替回路により構成し、該共用伝送インターフェースと電気的に接続し、
該ディテクト回路は、初期化信号が入力されたか否かのディテクトに用い、
該切替回路は信号の伝送ルート切替えに用い、
該マイクロコントローラは、該インターフェースディテクト／切替回路に接続し、該初期化信号の電位変化を受信し判別し、該メモリカードが保存するメモリカードシステムインターフェースの種類を判別し、メモリカードシステムインターフェースをサポートする相対する操作モードに切替え、該操作モードに基づき、異なる伝送ルートが伝送して来る信号を処理することを特徴とする。
１４．前記１３において、前記マイクロメモリカードは、コントロール信号バス、データバスを配置し、前記インターフェースディテクト／切替回路との接続に用い、異なる属性の信号をそれぞれ伝送する伝送ルートとすることを特徴とする。
１５．前記１３において、前記マイクロメモリカードは、電源転換／保護回路を含み、ＵＳＢインターフェースに接続する電源用端子に接続し、異なるメモリカードのシステムインターフェースが伝送する電源を該マイクロメモリカード内部回路に適用する電源電圧に転換することを特徴とする。
１６．前記１３において、前記メモリカードシステムインターフェースは、ＵＳＢ、及び／又はＳＤ、及び／又はＭＳシステム、及び／又はその他の異なる規格のメモリカードシステムインターフェースを含むことを特徴とする。
【０００５】
【発明の実施の形態】
本発明は市場で見られるＭＳカードシステム、ＳＤカードシステム、及びＰＣ周辺設備の接続用に最も普及しているＵＳＢインターフェースに共用される伝送インターフェースで、異なる規格のメモリカードシステムをサポート可能である。
図１が示すように、ＵＳＢは４ピン、ＭＳは１０ピン、ＳＤは９ピン等、各インターフェースの端子数は様々に異なるが、表が示すように、電源用端子（ＶＣＣ／ＶＤＤ）、アース端子（ＶＳＳ）、４組のデータ伝送端子（Ｄ０〜Ｄ３）、同期パルス信号（ＣＬＫ）等、ＭＳインターフェースとＳＤインターフェース間には性質が非常に近い端子が多い。
ＵＳＢインターフェースもまた電源用端子（ＶＣＣ）とアース端子（ＧＮＤ）、及び最も基本的なデータ信号伝送用のＤ＋とＤ−端子を具える。本発明のマイクロメモリカードは最少端子数のＵＳＢインターフェース規格を制定の基礎とし、さらに、ＭＳシステム／ＳＤシステムのインターフェースが必要とするデータ伝送端子を統合し、共用伝送インターフェースを形成する。こうして、異なる企画のメモリカードのシステムインターフェース（ＭＳシステム／ＳＤシステムのインターフェース等）は該共用伝送インターフェースを通して、該マイクロメモリカード内部と信号の伝送を行うことができる。
【０００６】
次に図２は本発明汎用型マイクロメモリカードの端子規格と他の３種のシステムのインターフェース規格との対照表である。図１、２が示すように、適当な組合せと統合により、標準的なＵＳＢインターフェースが使用する４組の端子（図３参照）をＭＳとＳＤインターフェースにおけるＤ０、Ｄ１、Ｄ２、Ｄ３のデータ伝送端子（図４参照）に新たに組合せる。こうして、本発明のマイクロメモリカードは上記３種のインターフェースをサポートする時に必要となる電気インターフェースとなる。
さらに、ＵＳＢインターフェースの電源正極端子（ＶＣＣ）と他のインターフェースの電源正極（ＶＣＣ／ＶＤＤ）は共用され、ＵＳＢインターフェースの電源負極（ＧＮＤ）と他のインターフェースの電源負極（ＶＳＳ）は共用される。
特に注目されるのは、ＭＳシステムのインターフェースにおける第６端子であるＩＮＳスロットカードディテクト信号は、システムエンドがマイクロメモリカードがシステムインターフェースに挿入されたか否かをディテクトする信号で、マイクロメモリカードエンドにおいて直接、電源負極とアース接続するだけで良い点である。また、本発明中においてはマイクロメモリカードの該第６端子をＶＳＳと見なすことにより、ＭＳシステムと同一端子位置を共用することができる。
上記共用端子以外に、ＵＳＢインターフェースのＤ＋、Ｄ−端子位置はマルチ信号端子ＭＦ１、ＭＦ２とすることができる。該マルチ信号端子はメモリカードシステムインターフェース伝送プロトコルの差異により、対応する属性の信号を伝送する。つまり、その時サポートしようとするシステムインターフェースが何であるかに応じて、コントロール信号或いはデータ信号等の異なる属性信号のモードを伝送する。
上記３種のシステムインターフェースを例とし、本発明のマイクロメモリカードはＵＳＢシステムインターフェースに挿入設置され、ＭＦ１は切替えられＤ＋信号を伝送し、ＭＦ２は切替えられＤ−信号を伝送する。
反対にもし、本発明のマイクロメモリカードをＭＳシステムのインターフェースに挿入設置するなら、ＭＦ１は切替えられＣＬＫ信号を伝送し、ＭＦ２は切替えられＢＳ信号を伝送する。
もし、本発明のマイクロメモリカードをＳＤシステムのインターフェースに挿入設置するなら、ＭＦ１は切替えられＣＬＫ信号を伝送し、ＭＦ２は切替えられＣＭＤ信号を伝送する。
こうして、２本の端子を利用し、システムインターフェースの種類をディテクトし、異なるシステムのインターフェースはこれにより異なる属性の信号を伝送することができる。
【０００７】
以下に、上記２本の端子ＭＦ１とＭＦ２により伝送される信号をディテクトシステムのインターフェースの種類とする方式について説明する。その内、ディテクトとする信号は、マイクロメモリカードをシステムインターフェースに挿入する時、システムインターフェースが伝送するマイクロメモリカードの初期化信号である。
図５が示すように、該マイクロメモリカードをＵＳＢシステムインターフェースに挿入する時、ＭＦ２はＵＳＢが属する端子Ｄ−信号線の変化を生じ、低電位を維持する。ＭＦ１はＵＳＢが属する端子Ｄ＋信号線の変化を生じ、約１００ｍｓの高電位まで上昇後、１０ｍｓの低電位に降下し、再度高電位に上昇する。
次に図６が示すように、該マイクロメモリカードをＭＳシステムインターフェースに挿入する時、ＭＦ２はＭＳシステムが属する端子ＣＬＫ信号線の変化を生じ、システムエンドが生じるオスシレーションパルス信号を受信する。ＭＦ１はＭＳシステムが属する端子ＢＳ信号線の変化を生じ、低電位を維持する。
続いて図７が示すように、該マイクロメモリカードをＳＤシステムインターフェースに挿入する時、ＭＦ２はＳＤシステムが属する端子ＣＬＫ信号線の変化を生じ、システムエンドが生じるオスシレーションパルス信号を受信する。ＭＦ１はＳＤシステムが属する端子ＣＭＤ信号線の変化を生じ、高電位を維持する。
上記のように、本発明の汎用型マイクロメモリカードにおいて、内部回路は該共用伝送インターフェースがシステムインターフェースに挿入された時、上記の再定義後のＭＦ１端子（元はＵＳＢインターフェースのＤ＋端子）とＭＦ２端子（元はＵＳＢインターフェースのＤ−端子）により、システムエンドが伝送する初期化信号を受信する。さらに、該初期化信号の変化をディテクトし、マイクロメモリカードが挿入されたシステムインターフェースの種類を判断する。
【０００８】
次に図８が示すように、該マイクロメモリカード８は少なくとも一個の共用伝送インターフェース８１、少なくとも一個のインターフェースディテクト／切替回路８２、少なくとも一個のマイクロコントローラ８３により構成する。しかも、内部には少なくとも一個の繰返し書込み可能メモリ８６を搭載する。
該共用伝送インターフェース８１はＵＳＢ規格を制定の基礎とし、ＶＣＣ、ＧＮＤ、ＭＦ１（即ちＤ＋）、ＭＦ２（即ちＤ−）等のＵＳＢインターフェース端子を設置する。また別に少なくとも一個のデータ伝送端子（即ちＤ０、Ｄ１、Ｄ２、Ｄ３）を配置し、かつ前記により明らかなように、ＭＦ１（即ちＤ＋）とＭＦ２（即ちＤ−）インターフェース端子により、外部接続のメモリカードシステムインターフェースが伝送する初期化信号を伝送する。
該インターフェースディテクト／切替回路８２はディテクト回路８２１、切替回路８２２により構成し、該共用伝送インターフェース８１のＭＦ１及びＭＦ２インターフェース端子と電気的に接続する。該ディテクト回路８２１は初期化信号の自動ディテクトに用いる電位変化で、これにより該マイクロメモリカード８システムインターフェースの種類を判断し、該切替回路８２２はディテクトの結果に応じて、信号の伝送ルートを切替える。
該マイクロコントローラ８３は該インターフェースディテクト／切替回路８２のディテクト結果に応じて、ＳＤシステム操作モード、ＭＳシステム操作モード、ＵＳＢシステム操作モード等のメモリカードシステムインターフェースをサポートする相対する操作モードに切替える。さらに、該操作モードに基づき、異なる伝送ルートが伝送して来る信号を処理する。
【０００９】
該マイクロメモリカード８内にはコントロール信号バス８４１、データバス８４２を配置し、該インターフェースディテクト／切替回路８２との接続に用いる。さらに、一時保存エリア８７を通して、該マイクロコントローラ８３と信号伝送を行い、異なる属性の信号をそれぞれ伝送することができる。即ち、該データバス８４２はＵＳＢシステムインターフェースのＤ＋及びＤ−信号、及びＭＳシステムとＳＤシステムインターフェースのＤ０〜Ｄ３信号を伝送し、該コントロール信号バス８４１はＭＳシステムとＳＤシステムインターフェースのＣＬＫ、ＢＳ、ＣＭＤ等の信号を伝送する。
上記３種のシステムインターフェースを例として以下にさらに説明する。システムエンドの電源が起動した時、ＭＦ２が伝送する初期化信号が低電位信号であるなら、該ディテクト回路８２１は、該切替回路８２２に伝送ルートを該データバス８４２に切替えさせ、ディテクトの結果を該マイクロコントローラ８３に伝送する。該マイクロコントローラ８３はこれに基づきＵＳＢ操作モードに切替える。
システムエンドの電源が起動した時、ＭＦ１が伝送する初期化信号は高電位信号であるなら、該ディテクト回路８２１は該切替回路８２２に伝送ルートを該コントロール信号バス８４１に切替えさせ、ディテクトの結果を該マイクロコントローラ８３に伝送する。該マイクロコントローラ８３はこれに基づきＳＤ操作モードに切替える。
システムエンドの電源が起動した時、ＭＦ１が伝送する初期化信号は低電位信号であるなら、該ディテクト回路８２１は該切替回路８２２に伝送ルートを該コントロール信号バス８４１に切替えさせ、ディテクトの結果を該マイクロコントローラ８３に伝送する。該マイクロコントローラ８３はこれに基づきＭＳ操作モードに切替える。
このように、該マイクロコントローラ８３は該操作モードに応じて、異なる指令、データ伝送プロトコル、コントロールモードによりシステムエンドが伝送する信号を処理する。
【００１０】
上記構造において、該インターフェースディテクト／切替回路８２はシステムインターフェースの種類を自動的にディテクト可能で、そのディテクトの結果を該マイクロコントローラ８３に伝送する。但し、該マイクロコントローラ８３内部のプログラムを書き換えることもでき、これにより該インターフェースディテクト／切替回路８２は初期化信号が入力されたか否か、及び切替え信号の伝送ルートのディテクトにのみ用いられる。さらに、該マイクロコントローラ８３はにより受信され、判別された初期化信号の電位変化により、該マイクロメモリカード８が保存するメモリカードシステムインターフェースの種類が判別され、メモリカードシステムインターフェースをサポートする相対する操作モードに切替えられる。また、その操作モードに基づき異なる伝送ルートからの信号を処理する。
上記配置の回路以外に、該マイクロメモリカード８内部には電源転換／保護回路８５を含み、もともとＵＳＢインターフェースに接続する電源用端子ＶＣＣとＧＮＤに接続し、異なるシステムインターフェースが伝送する電源を該マイクロメモリカード８内部回路に適用する電源電圧に転換し、電源電圧安定と保護を行う。
【００１１】
【発明の効果】
上記のように、本発明の汎用型マイクロメモリカードは繰返し書込み可能である。さらに、それ自体が制定するシステムインターフェースにおいて使用可能である他、ＳＤカード、ＭＳカード等の異なる規格の既存のメモリカードシステム、及び現在では標準配備となっているＵＳＢインターフェースをサポート可能である。
【図面の簡単な説明】
【図１】ＵＳＢ、ＭＳ、ＳＤの各インターフェース端子の標示、信号名称、属性の一覧表である。
【図２】本発明マイクロメモリカードとその他システムインターフェース規格の端子の対照表である。
【図３】ＵＳＢインターフェース端子の配置図である。
【図４】本発明マイクロメモリカード端子の配置図である。
【図５】ＵＳＢ、ＭＳ、ＳＤ等システムのインターフェースが伝送する初期化信号のシーケンス図である。
【図６】ＵＳＢ、ＭＳ、ＳＤ等システムのインターフェースが伝送する初期化信号のシーケンス図である。
【図７】ＵＳＢ、ＭＳ、ＳＤ等システムのインターフェースが伝送する初期化信号のシーケンス図である。
【図８】本発明マイクロメモリカード内部の回路ブロックチャートである。
【符号の説明】
８  マイクロメモリカード
８１  共用伝送インターフェース
８２  インターフェースディテクト／切替回路
８２１  ディテクト回路
８２２  切替回路
８３  マイクロコントローラ
８４  バス
８４１  コントロール信号バス
８４２  データバス
８５  電源転換／保護回路
８６  繰返し書込み可能メモリ
８７  一時保存エリア
【図１】
2004288141.tif 000003
【図２】
2004288141.tif 000004
【図３】
2004288141.tif 000005
【図４】
2004288141.tif 000006
【図５】
2004288141.tif 000007
【図６】
2004288141.tif 000008
【図７】
2004288141.tif 000009
【図８】
2004288141.tif 000010